(57)【要約】    【課題】  遊技島の受け枠に遊技機枠体を固定する際に、その横部材を簡単な構造で受け枠に対して確実に固定できるようにする。    【解決手段】  左右一対の縦部材３２と、両縦部材３２の上端側を左右に連結する上横部材３３と、両縦部材３２の下端側を左右に連結する下横部材３４とを含む遊技機枠体２を備え、上横部材３３と下横部材３４との少なくとも一方の横部材３３，３４を合成樹脂製又は金属製とする。この合成樹脂製又は金属製の横部材３３，３４は、上下方向の内側に配置され且つ釘挿通孔４１，４６が形成された固定壁４２と、固定壁４２の外側に左右方向に連続して設けられた収容部４９と、収容部４９内に左右方向に配置され且つ横部材３３，３４を遊技島６０に固定する際に釘打ち可能な釘打ち部材４５とを備える。【選択図】  図３
2016131850.tif 000002
【特許請求の範囲】
【請求項１】
左右一対の縦部材と、該両縦部材の上端側を左右に連結する上横部材と、前記両縦部材の下端側を左右に連結する下横部材とを含む遊技機枠体を備え、
前記上横部材と前記下横部材との少なくとも一方の横部材を合成樹脂製又は金属製とした遊技機において、
前記合成樹脂製又は金属製の横部材は、
上下方向の内側に配置され且つ釘挿通孔が形成された固定壁と、
該固定壁の外側に左右方向に連続して設けられた収容部と、
該収容部内に左右方向に配置され且つ前記横部材を遊技島に固定する際に釘打ち可能な釘打ち部材とを備えた
ことを特徴とする遊技機。
【請求項２】
前記横部材は、
前記固定壁と、
該固定壁の前後両側から上下方向の外側に突出する突出部とを一体に備え、
前記収容部は前記固定壁と前記両突出部との間に形成した
ことを特徴とする請求項１に記載の遊技機。
【請求項３】
前記突出部は中空状である
ことを特徴とする請求項２に記載の遊技機。
【請求項４】
前記固定壁は、
前記釘挿通孔が形成され且つ前記釘打ち部材に当接可能な当接部と、
該当接部の前後両側から上下方向の内側に屈曲する段部と、
該各段部の内端から屈曲して前記各突出部側に接続する接続部とを有する
ことを特徴とする請求項２又は３に記載の遊技機。
【請求項５】
前記接続部の前後幅は前記当接部の前後幅よりも小であり、
前記突出部、前記接続部、前記段部及び前記釘打ち部材との間に空隙部を設けた
ことを特徴とする請求項４に記載の遊技機。
【発明の詳細な説明】
【技術分野】
【０００１】
本発明は、パチンコ機、アレンジボール機、スロットマシン等の遊技機に関するものである。
【背景技術】
【０００２】
遊技機、例えばパチンコ機等の弾球遊技機は、遊技機枠体である矩形枠状の外枠と、この外枠に開閉・着脱自在に枢着された前枠とを備え、その前枠側に遊技盤、ガラス扉、発射手段等が設けられている。遊技機枠体の外枠は、左右一対の縦部材と、両縦部材の上端側を左右に連結する上横部材と、両縦部材の下端側を左右に連結する下横部材と、両縦部材の前面下部に左右方向に配置された前横部材とを備え、その左側の縦部材にヒンジを介して前枠が開閉・着脱自在に枢着されている。
【０００３】
この弾球遊技機を遊技ホールの遊技島に設置する場合には、外枠を遊技島の受け枠内に嵌め込んだ後、その上横部材及び下横部材を受け枠の上枠部及び下枠部に普通釘、ネジ釘等により釘付けして固定する。
【０００４】
この場合、外枠の略全体が木材製であれば、その各横部材に直接釘を打ち込んで受け枠の各枠部に固定することができる。しかし、近年のパチンコ機は、合成樹脂材又は金属材により成型された横部材を採用する傾向にあり、その場合には横部材自体を直接釘付けにより受け枠に固定することができない。
【０００５】
そこで、内周の係合縁を有する取り付け孔を横部材に左右方向に複数個設けて、その係合縁に係合する釘打ち部材を各取り付け孔に嵌め込んみ、その各釘打ち部材に釘を打ち込んで横部材を受け枠に固定する方法を採用している（特許文献１）。
【先行技術文献】
【特許文献】
【０００６】
【特許文献１】特開２００８−５９３７号公報
【発明の概要】
【発明が解決しようとする課題】
【０００７】
従来の固定方法では、取り付け孔、釘打ち部材が横部材の左右方向に複数個あり、しかも横部材の取り付け孔の内周に係合縁を、釘打ち部材の外周に係合溝を夫々設けて、その係合縁と係合溝とを係合させているため、構造的に複雑であって製作コストがアップする欠点がある。
【０００８】
また各釘打ち部材から受け枠の下枠部に跨がって釘を打ち付けてはいるものの、取り付け孔の内周の係合縁と釘打ち部材の外周の係合溝との係合構造を介して横部材を受け枠に固定するため、外枠を受け枠に確実に固定し難いという問題がある。
【０００９】
即ち、下横部材には上下方向の厚さに限界があり、その厚さ内に収まるように取り付け孔の内周に係合縁を設け、この係合縁に対応して釘打ち部材の外周に係合溝を設けるため、構造的に両者の係合部分の強度を十分に確保することが困難である。
【００１０】
一方、最近のパチンコ機では遊技盤が重量的に非常に重たくなる傾向にあり、遊技盤を装着した状態で前枠を開閉する際に、遊技盤を含む前枠側の全荷重が外枠に対して加わるが、その全荷重を複数個の釘打ち部材の係合部分を介して支持することになる。
【００１１】
従って、従来の固定方法では、外枠等の遊技機枠体を遊技島の受け枠に対して十分な強度で確実に固定し難いという問題がある。
【００１２】
本発明は、このような従来の問題点に鑑み、遊技島の受け枠に遊技機枠体を固定する際に、その横部材を簡単な構造で受け枠に対して確実に固定できる遊技機を提供することを目的とする。
【課題を解決するための手段】
【００１３】
本発明は、左右一対の縦部材と、該両縦部材の上端側を左右に連結する上横部材と、前記両縦部材の下端側を左右に連結する下横部材とを含む遊技機枠体を備え、前記上横部材と前記下横部材との少なくとも一方の横部材を合成樹脂製又は金属製とした遊技機において、前記合成樹脂製又は金属製の横部材は、上下方向の内側に配置され且つ釘挿通孔が形成された固定壁と、該固定壁の外側に左右方向に連続して設けられた収容部と、該収容部内に左右方向に配置され且つ前記横部材を遊技島に固定する際に釘打ち可能な釘打ち部材とを備えたものである。
【００１４】
前記横部材は、前記固定壁と、該固定壁の前後両側から上下方向の外側に突出する突出部とを一体に備え、前記収容部は前記固定壁と前記両突出部との間に形成してもよい。また前記突出部は中空状であってもよい。
【００１５】
前記固定壁は、前記釘挿通孔が形成され且つ前記釘打ち部材に当接可能な当接部と、該当接部の前後両側から上下方向の内側に屈曲する段部と、該各段部の内端から屈曲して前記各突出部側に接続する接続部とを有するものでもよい。更に前記接続部の前後幅は前記当接部の前後幅よりも小であり、前記突出部、前記接続部、前記段部及び前記釘打ち部材との間に空隙部を設けたものでもよい。
【発明の効果】
【００１６】
本発明によれば、遊技島の受け枠に遊技機枠体を固定する際に、その横部材を簡単な構造で受け枠に対して確実に固定できる利点がある。
【図面の簡単な説明】
【００１７】
【図１】本発明の第１の実施形態を示するパチンコ機の正面図である。
【図２】同パチンコ機の背面図である。
【図３】同パチンコ機の一部切欠き側面図である。
【図４】同外枠、前枠の分解斜視図である。
【図５】同縦部材と上横部材との連結部分の分解斜視図である。
【図６】同上横部材の釘付け状態の側面断面図である。
【図７】同縦部材と上横部材との連結部分の正面断面図である。
【図８】同縦部材と下横部材との連結部分の分解斜視図である。
【図９】同下横部材の釘付け状態の側面断面図である。
【図１０】同縦部材と下横部材との連結部分の正面断面図である。
【図１１】外枠の取り付け状態の正面図である。
【図１２】本発明の第２の実施形態を示す下横部材の釘付け状態の正面断面図である。
【図１３】同下横部材の釘付け部分の側面断面図である。
【図１４】本発明の第３の実施形態を示す下横部材の釘付け状態の側面断面図である。
【図１５】同下横部材の一部破断平面図である。
【図１６】同下横部材の斜視図である。
【図１７】本発明の第４の実施形態を示す下横部材の釘付け状態の側面断面図である。
【図１８】本発明の第５の実施形態を示す上横部材の釘付け状態の側面断面図である。
【発明を実施するための形態】
【００１８】
以下、本発明の各実施形態を図面に基づいて詳述する。
【００１９】
図１〜図１１は本発明をパチンコ機に採用した第１の実施形態を例示する。パチンコ機１は、図１に示すように矩形枠状の外枠（遊技機枠体）２と、この外枠２の左側の上下のヒンジ３，４を介して開閉自在及び着脱自在に枢着された前枠５とを備えている。
【００２０】
前枠５にはガラス扉６及び前面板７が装着され、そのガラス扉６の裏側に遊技盤８が配置されている。遊技盤８は前枠５の上部側に裏側から着脱自在に装着されている。なお、遊技盤８は前枠５に対して前側から着脱自在に装着してもよい。
【００２１】
前面板７には、発射用の遊技球を供給するための供給皿９が装着されている。前枠５の下部には、余剰球を貯留するための受け皿１０が装着され、この受け皿１０の側方に発射手段１１の発射ハンドル１２が配置されている。発射手段１１は、発射ハンドル１２を操作したときに駆動される打撃槌を備え、供給皿９から発射レール上に１個ずつ供給される遊技球を打撃槌で打撃して遊技盤８側へと発射させるようになっている。
【００２２】
遊技盤８の前面には、発射手段１１から発射された遊技球を案内するガイドレール１３が環状に装着され、そのガイドレール１３の内側の遊技領域１４内に演出画像表示手段１５、第１図柄始動手段１６、可変入賞手段１７、第２図柄始動手段１８、普通入賞手段１９等の複数の遊技部品が装着されている。
【００２３】
前枠５の裏側には、図２に示すように、遊技盤８を裏側から押さえる裏機構板２０が開閉自在に装着されている。裏機構板２０には開口部２１が形成され、その上側に遊技球タンク２２及びタンクレール２３が、左右方向の一側に球払い出し手段２４が、下側に通路ユニット２５が夫々設けられている。
【００２４】
開口部２１には、遊技盤８の裏側に装着された裏カバー２６が嵌合されている。裏カバー２６は、遊技盤８に装着された演出画像表示手段１５、第１図柄始動手段１６、可変入賞手段１７等の各遊技部品を裏側から覆うためのもので、遊技盤８に着脱自在に固定されている。また裏カバー２６には主制御基板等の各種制御基板を収納した基板ケース２７〜２９が着脱自在に装着され、その下方近傍では各種制御基板を収納した基板ケース３０，３１が裏機構板２０に着脱自在に装着されている。
【００２５】
外枠２は、図２及び図４に示すように、略平行に配置された左右一対の縦部材３２と、この両縦部材３２の上端側を左右に連結する上横部材３３と、両縦部材３２の下端側を左右に連結する下横部材３４と、両縦部材３２の前面下端部に左右方向に配置された前横部材３５と、この前横部材３５の前側に着脱可能に装着された合成樹脂製の化粧カバー３６とを備えている。
【００２６】
ヒンジ３，４は、図４に示すように、外枠２側のヒンジ板３７ａ，３８ａと、前枠５側のヒンジ板３７ｂ，３８ｂとを備え、外枠２及び前枠５の左側に設けられている。ヒンジ３，４は外枠２のヒンジ板３７ａ，３８ａにより前枠５のヒンジ板３７ｂ，３８ｂを受けるようになっている。上側のヒンジ３では外枠２のヒンジ板３７ａにヒンジ孔３７ｃが設けられ、このヒンジ孔３７ｃに挿通されるヒンジ軸３７ｄが前枠５のヒンジ板３７ｂに下向きに設けられている。また下側のヒンジ４では外枠２のヒンジ板３８ａにヒンジ軸３８ｃが上向きに設けられ、このヒンジ軸３８ｃが挿通するヒンジ孔３８ｄが前枠５のヒンジ板３８ｂに設けられている。
【００２７】
両縦部材３２は例えば金属製であって、アルミ系合金の押し出し型材、又は板金材等が使用されている。縦部材３２は側面部３２ａと、この側面部３２ａの前後両側から内側に屈曲する屈曲縁３２ｂとを有し、また側面部３２ａにはその外側に前後２条の縦溝３２ｃが上下方向に形成されている。
【００２８】
上横部材３３、下横部材３４は金属製であって、例えばアルミ系合金の押し出し型材等が使用されている。
【００２９】
この上横部材３３は、図５〜図７に示すように、上下方向の内側に配置され且つ釘挿通孔４１が形成された左右方向の固定壁４２と、この固定壁４２の前後両側から上下方向の外側に突出する左右方向の突出部４３とを一体に備え、固定壁４２の外側で前後の突出部４３間に左右方向に凹部等の収容部４４が形成され、この収容部４４内に上横部材３３を遊技島６０の受け枠６１に釘付けにより固定する際に釘打ち可能な左右方向の釘打ち部材４５が嵌め込まれている。
【００３０】
また下横部材３４は、図８〜図１０に示すように、上下方向の内側に配置され且つ釘挿通孔４６が形成された左右方向の固定壁４７と、この固定壁４７の前後両側から上下方向の外側に突出する左右方向の突出部４８とを一体に備え、固定壁４７の外側で前後の突出部４８間に左右方向に凹部等の収容部４９が形成され、この収容部４９内に下横部材３４を遊技島６０の受け枠６１に釘付けにより固定する際に釘打ち可能な左右方向の釘打ち部材５０が嵌め込まれている。
【００３１】
各突出部４３，４８は前後幅よりも上下高さが大の角形中空状に構成されている。下横部材３４の前側の突出部４８は、下横部材３４の上下厚さよりも上側に大きく突出する前横部材３５を兼用するものであって、その下部側に固定壁４７が一体に形成されている。なお、下横部材３４の前側の突出部４８は前横部材３５と別々に設けてもよい。また上横部材３３の前後の突出部４３、前横部材３５には上下方向の中間に補強用の仕切り壁が設けられているが、各横部材３３，３４の突出部４３，４８は仕切り壁があってもなくてもよい。
【００３２】
固定壁４２，４７は、釘挿通孔４１，４６が形成され且つ釘打ち部材４５，５０に当接可能な当接部５２，５３と、この当接部５２，５３の前後両側から上下方向の内側に屈曲する段部５４，５５と、各段部５４，５５の内端から前後方向の両側へと屈曲して各突出部４３，４８側に接続する接続部５６，５７とを一体に有する。
【００３３】
当接部５２，５３は左右方向に長い長孔状の釘挿通孔４１，４６を前後に並べて配置できるだけの前後幅を有する広幅状である。これに対して各接続部５６，５７は、広幅の当接部５２，５３よりも前後幅が小さい狭幅状である。突出部４３，４８、接続部５６，５７、段部５４，５５及び釘打ち部材４５，５０との間には左右方向に長い空隙部５８，５９が設けられている。
【００３４】
下横部材３４の前側の接続部５７を除き、各横部材３３，３４の接続部５６，５７は、角形中空状の突出部４３，４８の上下方向の中心に近い壁面部と略面一状になっており、また突出部４３，４８、接続部５６，５７、段部５４，５５及び釘打ち部材４５，５０の間には、段部５４，５５の高さ、接続部５６，５７の幅に見合う空隙部５８，５９が左右方向に設けられている。
【００３５】
釘打ち部材４５，５０、釘挿通孔４１，４６は、図１１に示すように、外枠２を左右の球貸し機６４間で遊技島６０の受け枠６１の上枠部６２と下枠部６３と間に挿入して各横部材３３，３４を各枠部６２，６３に釘付けする際に、普通釘、ネジ釘等の釘６５，６６を釘挿通孔４１，４６から釘打ち部材４５，５０を経て枠部６２，６３側へと打ち込むためのものである。従って、釘打ち部材４５，５０には、釘６５，６６を打ち込み可能な材質の部材、例えば木材を横部材３３，３４の収容部４４，４９に対応する寸法に加工したものが使用されている。
【００３６】
固定壁４２，４７の釘挿通孔４１，４６は、左右２箇所の釘打ち箇所毎に前後に２個設けられており、各釘挿通孔４１，４２は釘６５，６６の頭部が固定壁４２，４７に係合可能な大きさになっている。なお、左右２箇所の釘打ち箇所に１個の釘挿通孔４１，４６を設けてもよい。釘打ち箇所を左右方向の略中央の１箇所にし、そこに前後に１個又は２個の釘挿通孔４１，４６を設けてもよい。
【００３７】
前横部材３５の左右両端部は各縦部材３２の前面に当接している。化粧カバー３６は前横部材３５を前側及び上下、左右から覆う形状であって、ネジ等の適宜手段を介して前横部材３５に着脱自在に装着されている。この化粧カバー３６の上カバー部３６ａの後端には、前枠５との間の隙間からの不正部材の進入を阻止する突状の阻止部３６ｂが左右方向に設けられている。
【００３８】
左右の縦部材３２と各横部材３３，３４は、板金製の上連結金具６８、下連結金具６９等を介してネジにより着脱自在に連結されている。上連結金具６８は、図５、図７に示すように、縦部材３２に対応する側取り付け部７０と、上横部材３３に対応する上取り付け部７１とを略Ｌ字状に備えている。下連結金具６９は、図８、図１０に示すように、縦部材３２に対応する側取り付け部７２と、下横部材３４に対応する下取り付け部７３とを略Ｌ字状に備えている。
【００３９】
上連結金具６８の側取り付け部７０は縦部材３２の側面部３２ａの縦溝３２ｃに対応する二股状であり、その夫々が側取り付け部７０側から側面部３２ａを貫通して、側面部３２ａの内側の当て板７５に螺合する上下２本のネジ７６により縦部材３２に固定されている。また上連結金具６８の上取り付け部７１は、上取り付け部７１から上横部材３３の当接部５２を貫通してナット７７に螺合する左右２本のネジ７８により上横部材３３に固定されている。
【００４０】
釘打ち部材４５は左右両端が上取り付け部７１の中間に達する程度の長さであり、左右２本のネジ７８の内、左右方向の内側のネジ７８により上取り付け部７１と当接部５２との間で上下に締結されている。左右方向の外側のネジ７８は釘打ち部材４５から離れた位置に配置されている。なお、釘打ち部材４５は２本のネジ７８で上横部材３３、上連結金具６８に固定するようにしてもよい。
【００４１】
ヒンジ３側の上連結金具６８の上取り付け部７１はヒンジ板３７ａを兼用しており、その上取り付け部７１から前側に突出するヒンジ板３７ａにヒンジ孔３７ｃが設けられている。
【００４２】
下連結金具６９の側取り付け部７２は、縦部材３２の側面部３２ａの縦溝３２ｃに対応する二股状であり、その夫々が側取り付け部７２側から側面部３２ａを貫通して、側面部３２ａの内側の当て板８０に螺合する上下２本のネジ８１により縦部材３２に固定されている。また下連結金具６９の下取り付け部７３は、下取り付け部７３から下横部材３４の当接部５３を貫通して、ナット８２に螺合する左右２本のネジ８３により下横部材３４に固定されている。
【００４３】
釘打ち部材５０は左右両端が下取り付け部７３の中間に達する程度の長さであり、左右２本のネジ８３の内、左右方向の内側のネジ８３により下取り付け部７３と当接部５３との間で上下に締結するようになっている。なお、釘打ち部材５０は２本のネジ８３で下横部材３４、下連結金具６９に固定するようにしてもよい。
【００４４】
ヒンジ４のヒンジ板３８ａは前横部材３５の上側近傍に配置され、縦部材３２内で側面部３２ａに当接する取り付け部３８ｅを介してネジ８４により縦部材３２に固定されている。ネジ８４は下連結金具６９の側取り付け部７２の上部側から側面部３２ａを貫通して取り付け部３８ｅに螺合されている。なお、化粧カバー３６には、上カバー部３６ａにヒンジ板３８ａに対応する切り欠き部３６ｃが設けられている。
【００４５】
このような構成のパチンコ機１を遊技島６０に据え付ける際には、次のように行う。先ずガラス扉６、遊技盤８等を含む前枠５を外枠２から取り外し、その外枠２を遊技島６０の受け枠６１の上枠部６２と下枠部６３との間に嵌め込んだ後、図１１に示すように、上横部材３３を上枠部６２に、下横部材３４を下枠部６３に夫々釘６５，６６により固定する。この釘６５，６６には、普通釘、ネジ釘等の釘類全般が使用可能である。
【００４６】
このとき上横部材３３、下横部材３４は金属製であるにも拘わらず、その収容部４４，４９内に木材製の釘打ち部材４５，５０があり、この釘打ち部材４５，５０に釘６５，６６を打ち込むことにより、各横部材３３，３４を受け枠６１の各枠部６２，６３に対して容易に固定することができる。
【００４７】
即ち、各横部材３３，３４には、釘挿通孔４１，４６付きの固定壁４２，４７と、この固定壁４２，４７の外側に設けられた収容部４４，４９とがあり、その収容部４４，４９内に嵌め込まれた釘打ち部材４５，５０が連結金具６８，６９、ネジ７８，８３等を介して各横部材３３，３４に結合されているので、釘挿通孔４１，４６に対応する位置で釘打ち部材４５，５０に釘６５，６６を打ち込むことにより、釘打ち部材４５，５０を介して各横部材３３，３４を受け枠６１の各枠部６２，６３に固定することができる。
【００４８】
また釘挿通孔４１，４６を有する固定壁４２，４７が釘打ち部材４５，５０よりも内側にあり、その固定壁４２，４７の釘挿通孔４１，４６から釘６５，６６を挿入して釘打ち部材４５，５０に打ち込むようになっているため、釘挿通孔４１，４６に対する釘６５，６６の挿通が容易であり、固定壁４２，４７と釘打ち部材４５，５０とが逆の場合に比較して作業を容易に行うことができる。
【００４９】
このように固定壁４２，４７が釘打ち部材４５，５０に対して内側にある場合、固定壁４２，４７を介して釘打ち部材４５，５０を押圧するため、パチンコ機１の設置後に前枠５をヒンジ３，４廻りに開放した際に、遊技盤８等を含む前枠５側の大きな荷重が外枠２に加わるため、外枠２の上下の横部材３３，３４を介してその大きな荷重に抗する必要がある。そのため横部材３３，３４の固定壁４２，４７側に釘６５，６６を介して大きな負荷が加わる。
【００５０】
しかし、各横部材３３，３４の固定壁４２，４７は、釘打ち部材４５，５０に当接する当接部５２，５３の前後両側に段部５４，５５を介して接続部５６，５７があり、その段部５４，５５の前後両側に段違い状の屈曲構造があるため、その屈曲構造によって固定壁４２，４７の剛性を大きくすることができる。従って、前枠５の開放によって外枠２が前側に倒れるように大きな垂直荷重が加わるようなことがあっても、各横部材３３，３４の固定壁４２，４７の変形等を容易に防止することができる。
【００５１】
各横部材３３，３４には固定壁４２，４７の前後両側に突出部４３，４８があり、固定壁４２，４７と突出部４３，４８との間に、釘打ち部材４５，５０を収容する収容部４４，４９を設けているため、その突出部４３，４８によって横部材３３，３４の剛性の向上を図ることができる。また突出部４３，４８は中空状であるため、横部材３３，３４の剛性の向上を図りながらもその軽量化を図ることができる。
【００５２】
釘打ち部材４５，５０は収容部４４，４９内に収容し且つ左右両端を連結金具６８，６９、ネジ７８，８３により横部材３３，３４に固定しているため、パチンコ機１の運搬等に際しての釘打ち部材４５，５０の脱落を防止でき、また左右方向の軸心廻りのひねり等に対しても十分に抗することができる。
【００５３】
図１２及び図１３は本発明の第２の実施形態を例示する。この実施形態では、下横部材３４は、前後両側の突出部４８と、その突出部４８の上部間を前後に連結する固定壁４７と、突出部４８の下部側から前後反対側に突出する突出縁部４８ａとの間に収容部４９が形成され、その収容部４９内に釘打ち部材５０が左右方向に挿入されている。釘打ち部材５０の左右両端はネジ８３により下連結金具６９に固定されている。
【００５４】
前横部材３５は下横部材３４とは別体構造であって、左右の縦部材３２の前面側の下端部に左右方向に固定されており、この前横部材３５に化粧カバー３６が着脱自在に装着されている。なお、上横部材３３側も同様に構成してもよい。その他は各実施形態と同様である。
【００５５】
このように下横部材３４には、収容部４９を挟んで固定壁４７と反対側に突出縁部４８ａを設けてもよい。この場合には、釘打ち部材４５，５０を釘６６で下枠部６３に固定したときに、その釘打ち部材５０が突出縁部４８ａを押圧するため、固定壁４７側の負担を軽減することができる。
【００５６】
図１４〜図１６は本発明の第３の実施形態を例示する。この実施形態では、下横部材３４は前後の中空状の突出部４８と、この突出部４８間を連結する上下方向の内外両側の固定壁４７ａ，４７ｂとを有し、それらに取り囲まれるように釘打ち部材４５，５０の収容部４９が形成されている。釘打ち部材５０は収容部４９に横から挿入され、その左右両端部でネジ８３等により下横部材３４に着脱自在に固定されている。
【００５７】
上側の固定壁４７ａは第１、第２の実施形態と同様であり、当接部５３、段部５５及び接続部５７を有し、その当接部５３に左右方向に長い長孔状の釘挿通孔４６が形成されている。下側の固定壁４７ｂには、釘挿通孔４６に対応して、この釘挿通孔４６よりも前後方向に大きく開口する釘挿通孔４６ｂが形成されている。なお、上横部材３３側も同様に構成してもよい。その他は各実施形態と同様である。
【００５８】
このように下横部材３４の上下に固定壁４７ａ，４７ｂを設け、この固定壁４７ａ，４７ｂ間の収容部４９に釘打ち部材５０を挿入するようにしてもよい。この場合には上下両側に固定壁４７ａ，４７ｂがあり、釘打ち部材５０を介して下側の固定壁４７ｂを受け枠６１に押圧するため、下横部材３４の剛性が更に増大する利点がある。
【００５９】
また釘打ちの際に、固定壁４７ａ，４７ｂの釘挿通孔４６から釘打ち部材５０、釘挿通孔４６ｂを経て受け枠６１の下枠部６３に釘６６を打ち込むが、固定壁４７ａの釘挿通孔４６に対して固定壁４７ｂの釘挿通孔４６ｂを大きくしているので、釘挿通孔４６ｂの位置を確認する必要がなく、容易に釘打ち作業を行うことができる。
【００６０】
更に下側の釘挿通孔４６ｂを前後方向に大きくすることによって、釘６６を前後方向の何れか一方に傾斜させて打ち込むことも可能である。従って、外枠２の下横部材３４に前上側から釘６６を打ち込む場合には、図１４に二点鎖線で示すように釘６６を前向きに傾斜状に打ち込むこともできる。
【００６１】
図１７は本発明の第４の実施形態を例示する。この実施形態の下横部材３４は、固定壁４７の前後両側に当接部５３があり、この当接部５３間に上側に凸状に突出する突条部８６が設けられている。突条部８６は突出壁部８７と、この突出壁部８７の前後の段部５５とにより構成されている。当接部５３は段部５５の下端と中空状の突出部４８との間に設けられている。この各当接部５３には釘挿通孔４６が形成され、その釘挿通孔４６にネジ釘等の釘６６が挿通されている。なお、上横部材３３側も同様に構成してもよい。その他は各実施形態と同様である。
【００６２】
このように下横部材３４の固定壁４７に突条部８６を介して当接部５３を前後に設けることも可能であり、この場合にも前後の突出部４８、中間の突条部８６により、その強度の向上を図ることができる。
【００６３】
図１８は本発明の第５の実施形態を例示する。この実施形態の上横部材３３は、前後両側の突出部４３の内、前向きに開放するコ字状の溝部８９が前上側に左右方向の略全長に設けられている。
【００６４】
一方、前枠５の上端側には、後方へと突出する突条部９０が形成されており、前枠５を外枠２に対して閉じたときに、この突条部９０が溝部８９内に進入して溝部８９との間で迷路を形成し、外枠２と前枠５との間からの不正部材の挿入を防止するようになっている。前枠５は遊技盤８が前側から着脱自在に装着される遊技盤装着部９１と、遊技盤装着部９１から後方に突出し且つ遊技盤８の裏側部９２が収容される周壁部９３とを有する。なお、突出部４３は前後対称にして、裏側の突出部４３に溝部８９を形成してもよい。その他は各実施形態と同様である。
【００６５】
このように上横部材３３の場合には、突出部４３、固定壁４２等の他に、その突出部４３に不正防止用の溝部８９を設けてもよい。
【００６６】
以上、本発明の各実施形態について詳述したが、本発明はこの各実施形態に限定されるものではなく、本発明の趣旨を逸脱しない範囲で種々の変更が可能である。例えば、各実施形態では、上下の各横部材３３，３４はアルミ系合金の押し型材による金属製のものを例示しているが、板金材をプレス成形した金属製のもの、合成樹脂材料を成形した合成樹脂製のものでも同様に実施することが可能である。
【００６７】
また固定壁４２，４７は平板状でもよい。横部材３３，３４の前後の突出部４３，４８は、横部材３３，３４自体を補強する補強部を構成するものであるが、中空状である必要はなく、釘打ち部材４５，５０の厚さに見合う高さを有し、且つ所定の補強機能を有するものであれば十分である。
【００６８】
収容部４４，４９は凹部の他、矩形筒状でもよい。また横部材３３，３４の固定壁４２，４７は、上下方向の内外両側の内、釘６５，６６の打ち込み開始側である遊技機の中心に近い内側にあればよい。従って、横部材３３，３４の固定壁４２，４７は、少なくとも中心に近い内側にあれば十分である。
【００６９】
実施形態では、上下の各横部材３３，３４について例示しているが、何れか一方のみでもよい。釘打ち部材４５，５０に打ち込む釘は、一般的な普通釘の他、ネジ釘等を使用することも可能である。
【００７０】
また実施形態ではパチンコ機について例示しているが、パチンコ機等の弾球遊技機は勿論のこと、その他のスロットマシン等を含む各種の遊技機にも採用可能であることは云うまでもない。
【符号の説明】
【００７１】
２    外枠（遊技機枠体）
３２  縦部材
３３  上横部材
３４  下横部材
４１，４６  釘挿通孔
４２，４７  固定壁
４３，４８  突出部
４４，４９  収容部
４５，５０  釘打ち部材
５２，５３  当接部
５４，５５  段部
５６，５７  接続部
５８，５９  空隙部
６０  遊技島
【図１】
2016131850.tif 000003
【図２】
2016131850.tif 000004
【図３】
2016131850.tif 000005
【図４】
2016131850.tif 000006
【図５】
2016131850.tif 000007
【図６】
2016131850.tif 000008
【図７】
2016131850.tif 000009
【図８】
2016131850.tif 000010
【図９】
2016131850.tif 000011
【図１０】
2016131850.tif 000012
【図１１】
2016131850.tif 000013
【図１２】
2016131850.tif 000014
【図１３】
2016131850.tif 000015
【図１４】
2016131850.tif 000016
【図１５】
2016131850.tif 000017
【図１６】
2016131850.tif 000018
【図１７】
2016131850.tif 000019
【図１８】
2016131850.tif 000020
【手続補正書】
【提出日】平成28年3月17日(2016.3.17)
【手続補正１】
【補正対象書類名】特許請求の範囲
【補正対象項目名】全文
【補正方法】変更
【補正の内容】
【特許請求の範囲】
【請求項１】
左右一対の縦部材と、該両縦部材の上端側を左右に連結する上横部材と、前記両縦部材の下端側を左右に連結する下横部材とを含む遊技機枠体を備え、
前記上横部材と前記下横部材との少なくとも一方の横部材を合成樹脂製又は金属製とした遊技機において、
前記上横部材は、
上下方向の内側に配置され且つ釘挿通孔が形成された固定壁と、
該固定壁の前後両側から上側に突出する中空状の前側突出部及び後側突出部と、
前記固定壁の上側で前記前側突出部と前記後側突出部との間に設けられた収容部と、
を備え、
前記前側突出部の上側に、前向きに開放する溝部を備え、
前記収容部内に、前記上横部材を遊技島に固定する際に釘打ち可能な釘打ち部材が配置された
ことを特徴とする遊技機。
【手続補正２】
【補正対象書類名】明細書
【補正対象項目名】００１２
【補正方法】変更
【補正の内容】
【００１２】
本発明は、このような従来の問題点に鑑み、遊技島の受け枠に遊技機枠体を固定する際に、その上横部材を簡単な構造で受け枠に対して確実に固定できる遊技機を提供することを目的とする。
【手続補正３】
【補正対象書類名】明細書
【補正対象項目名】００１３
【補正方法】変更
【補正の内容】
【００１３】
本発明は、左右一対の縦部材と、該両縦部材の上端側を左右に連結する上横部材と、前記両縦部材の下端側を左右に連結する下横部材とを含む遊技機枠体を備え、前記上横部材と前記下横部材との少なくとも一方の横部材を合成樹脂製又は金属製とした遊技機において、前記上横部材は、上下方向の内側に配置され且つ釘挿通孔が形成された固定壁と、該固定壁の前後両側から上側に突出する中空状の前側突出部及び後側突出部と、前記固定壁の上側で前記前側突出部と前記後側突出部との間に設けられた収容部と、を備え、前記前側突出部の上側に、前向きに開放する溝部を備え、前記収容部内に、前記上横部材を遊技島に固定する際に釘打ち可能な釘打ち部材が配置されたものである。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
本発明によれば、遊技島の受け枠に遊技機枠体を固定する際に、その上横部材を簡単な構造で受け枠に対して確実に固定できる利点がある。